(57)【要約】【課題】支援成功のための知識やノウハウなどは必要なく、支援したいと思う人たちの輪が支援達成のための人数分集まった段階で支援が始まる仕組みを提供する。【解決手段】応援者の代表者が被支援者を支援するためのキャンペーン内容をキャンペーン告知ページに掲載し、キャンペーン内容に賛同した応援者を集め、応援者リストの参加者数が支援目標に達した時点でキャンペーンを開始し、キャンペーン開始と同時に応援者リストに参加した応援者は支援者となり、キャンペーン開始と同時に調達目標金額は達成され、従来のクラウドファディングにおけるマイナス要件を排除する。【選択図】図５
2019159567.tif 000002
【特許請求の範囲】
【請求項１】
応援者の代表者が被支援者を支援するためのキャンペーン内容をキャンペーン告知ページに掲載し、キャンペーン内容に賛同した応援者を集め、応援者リストの参加者数が支援目標に達した時点でキャンペーンを開始し、キャンペーン開始と同時に応援者リストに参加した応援者は支援者となり、キャンペーン開始と同時に調達目標金額は達成され、従来のクラウドファディングにおけるマイナス要件を排除することが可能な支援者による支援を成功させるためのクラウドファンディングの方法とシステム。
【発明の詳細な説明】
【技術分野】
【０００１】
本発明はクラウドファンディングに用いられる情報処理システム、特に支援者による支援を成功させるためのクラウドファンディングの方法とシステムに関する。
【背景技術】
【０００２】
クラウドファンディングとは、不特定多数の支援者から資金を集める手法であり、従来のクラウドファンディングでは支援を受ける対象の「被支援者（以下、「被支援者」と呼ぶ）」と、支援をする「支援者（以下、「支援者」と呼ぶ）」と、クラウドファンディングのインターネットWEBシステム環境を提供する「クラウドファンディング事業者（以下、「事業者」と呼ぶ）」との３者で構成されている。（図１参照）
一般的なクラウドファンディングの流れ（一般的に普及しているAll  or  Nothingの場合）、図１で示すように以下のようになっている。
（１）資金調達をしたい被支援者は、調達目標額と調達期間、支援者へのリターンを決定し、事業者に「支援キャンペーン（以下、「キャンペーン」と呼ぶ）」掲載を行うことで、インターネット上のキャンペーン告知を開始する。
（２）キャンペーンに関心を持ち、支援をしたいと思った人は支援者となり、リターン内容を確認した上で希望の支援額を支払う。
（３）被支援者は、調達期間終了時点で調達期間内に調達目標額が達成できていれば、集まった支援額を受け取ることができる。
（４）支援額を受け取った被支援者は、支援者に対してリターンを届ける。
【０００３】
なお、All or Nothingとは、支援金額が調達目標額に達している場合のみ支援が成功する仕組みです。
【０００４】
図２は、従来のクラウドファンディング（All  or  Nothing）におけるキャンペーン告知ページの例であり、キャンペーン告知ページは、図２に示すように以下のブロックで構成されている。
（ａ）キャンペーン説明部
ページのヘッダー部にはタイトルと写真、記事本体部にはキャンペーンの説明記事として説明文と写真などが掲載されている。
（ｂ）支援の状況表示部
右サイドカラムの上部には、被支援者、支援総額、支援者数、残り時間などの情報が掲載される。
（ｃ）リターンの説明を選択部
単一又は複数の支援コースを支援金額別に表示しており、支援金額の直下には、支援の謝礼としてのリターンの内容を掲載している。支援者は、このコースから支援コースを選んで支援申し込みを行う。
【先行技術文献】
【特許文献】
【０００５】
【特許文献１】特許6247418号
【特許文献２】特許6209647号
【特許文献３】特許5733869号
【発明の概要】
【発明が解決しようとする課題】
【０００６】
一般的なクラウドファンディング（一般的に普及しているAll or Nothing）では、被支援者がインターネットでキャンペーンを開始しても、キャンペーンに興味を持って支援をしてくれるとは限らない。そのため、キャンペーンの成功の可能性は、被支援者のインターネット上の発信力及び人間関係による人脈に依存し、キャンペーンが成功するためには不確定要素が存在しているため失敗する可能性が排除できない。
【０００７】
また、現在のクラウドファンディングのシステムには、被支援者がキャンペーンを告知する能力は被支援者を基点とする単一（告知力１対１対１）の仕組みであり、何倍にも広く拡大して情報拡散するなどのシステム的な仕組みは組み込まれていない（図３参照）。
そのため、被支援者と支援者を結びつける事業者は、その成功率を高めるためのコンサルティグに重点を置いた営業活動を行っており、その成功率の高さが事業者間の優劣を表現すると言うことになり、業界で勝ち抜くために大きな事業努力を強いられている。
【０００８】
被支援者としても、確実にキャンペーンを成功出来る可能性が不確実であるため、コンサルティングに対して余分な費用を支払うなどの負担が発生しているケースも見受けられる。
【０００９】
クラウドファンディングは、スポーツや地域活性化などに貢献できる仕組みと言う意識は広く国民の意識にも定着をしつつあるが、反面ではクラウドファンディングに失敗した事例などから、スポーツや地域活性化が必要な多くの国民の中にはクラウドファンディングは、支援を成功させることが難しいと言う感覚が一般市民の意識の中には残存し、支援が必要な対象者にまで広く普及できているとは言い難い現実がある。
【課題を解決するための手段】
【００１０】
本発明はこれらの課題を解決するために、従来のクラウドファンディングの被支援者が、キャンペーンを立ち上げて支援者を集めると言う根本的な仕組みを見直し、逆転の発想で、最初に被支援者を支援したい人たち（以下、「応援者」と呼ぶ）が支援目標を達成するだけ集まって被支援者を支援する仕組みである。ここで、支援目標とは、「支援者数×最少支援金額≧調達目標額」を上回ることである。具体的には、応援者の代表者（以下、「発起人」と呼ぶ）が被支援者を支援するためのキャンペーン内容をキャンペーン告知ページに掲載し、キャンペーン内容に賛同した応援者を集め、「応援者のメンバーリスト（以下、「応援者リスト」と呼ぶ）」を作成する。応援者リストの参加者数が支援目標に達した時点で、キャンペーンを開始する。そして、キャンペーン開始と同時に、応援者リストに参加した応援者は支援者となり、キャンペーン開始と同時に調達目標金額は達成される。
【００１１】
これにより、本発明では、従来のクラウドファディングにおける「被支援者のインターネット上の発信力及び人間関係による人脈に依存しキャンペーンが成功するためには不確定要素が存在しているため失敗する可能性が排除できません。」と言うマイナス要件を排除することが可能となる。
【００１２】
さらに、従来のクラウドファンディングの発信力は、被支援者のインターネット上の発信力及び人間関係による人脈に依存し、キャンペーンが成功するためには不確定要素が存在するが、本発明では、応援者が支援目標を達成するだけ集まって被支援者を支援する仕組みであるため、基点となる発信力の数は、支援目標を達成するだけ集まった応援者の数であるＮ倍になり、応援者登録と同時に自動生成される応援者専用ブログにより、更に複数倍の告知が行われるので最終的な告知力はＮ×Ｎ倍になる。
【００１３】
このように本発明は、支援成功のための知識やノウハウなどは必要なく、支援したいと思う人たちの輪が支援達成のための人数分集まった段階で支援が始まる仕組みであり、基本的には、支援開始時点でキャンペーン成功のための１００％の支援金額が確保できるため、被支援者は確実にキャンペーン成功の１００％以上の支援金額を受け取ることが可能となる仕組みである。
【００１４】
応援者リストの参加者数が支援目標に達した時点で、キャンペーンが開始される。支援目標とは、「支援者数×最少支援金額≧調達目標額」を上回ることであり、キャンペーン開始と同時に、応援者リストに参加した応援者は支援者となり、キャンペーン開始と同時に調達目標金額は達成される。
【００１５】
このように本発明のクラウドファンディングでは、応援者が多数存在する「本来、支援を受けるだけの人望と実績又は将来の夢などがある被支援者」に対して適切な支援を提供出来ていない状況を応援者が集うことで、応援者の組織で解決する。
【発明の効果】
【００１６】
クラウドファンディングの仕組み自体が持つ課題を解決することが出来れば、広く国民が不安なく特別なクラウドファンディングでの支援者募集の知識がなくてもクラウドファンディングを普通に利用できるようになるため、スポーツ支援や地域活性化を始めとする様々な支援対象に対しても活発に支援を行うようになり、資金難で困っていると言う人を可能な限り減らすことが出来るようになる。その結果、スポーツや地域活性化だけでなく、限界集落など末端の地域活性化等様々な問題解決、地域での起業の促進・後継者問題の解決や障害者自立支援や子育て支援など、今まで民間や市民では到底取組ことは不可能と思われ、誰も手を付けることができなかった様々な領域までクラウドファンディングの支援の輪を拡げることができるようになる。
【００１７】
また、本発明では支援開始時点で支援金額は１００％から始まり、数百〜数千％規模の支援金額の実現の可能性もある支援が実行されるので規模の大小に関わらず、行政や民間、市民の垣根を越えた様々な支援活動の展開の可能性が拡がる。
【図面の簡単な説明】
【００１８】
【図１】従来のクラウドファンディングの概要を示す流れ図である。
【図２】従来のクラウドファンディングにおけるキャンペーン告知ページの一例を示す図である。
【図３】一般的なクラウドファンディングの公知力を説明する図である。
【図４】従来のクラウドファンディングの公知力を説明する図である。
【図５】本発明のクラウドファンディングの公知力を説明する図である。
【図６】本発明のクラウドファンディングの仕組みを説明する模式図である。
【発明を実施するための形態】
【００１９】
本発明は、欧米人の発想で始まったインターネットで広く支援者を募るクラウドファンディングではなく、日本人固有の沢山の有志が集まって沢山の歴史的な偉業を達成し歴史に残ると共に、日本人の風習や習慣として日本人の心理に残ってきたと言う日本人固有の行動意識を、日本独自のクラウドファンディングとして新しく世に問うものである。
【００２０】
本発明では、「従来のクラウドファンディングにおける、被支援者がインターネットでキャンペーンを開始してもキャンペーンに興味を持って支援をしてくれるとは限らないため、キャンペーンの成功の可能性は、被支援者のインターネット上の発信力及び人間関係による人脈に依存しキャンペーンが成功するためには不確定要素が存在しているため、失敗する可能性が排除できません。」と言う状況は発生しないため、支援成功のための知識やノウハウなど必要なく、支援したいと思う人たちの輪が支援達成のための人数分集まった段階で支援が始まる仕組みである。基本的には、支援開始時点でキャンペーン成功のための１００％の支援金額が確保できるため、被支援者は確実にキャンペーン成功の１００％以上の支援金額を受け取ることが出来る仕組みである。
【００２１】
本発明では、キャンペーンの告知ページに、支援者全員の紹介コーナーが装備され、その紹介コーナーでは支援者の顔写真と応援メッセージがリスト表示又はグリッド表示され、その紹介表示から各支援者の応援ページにリンク接続できる仕組みを持っている。本発明では、支援を始める際に集まった支援者は、本システムに登録した段階で各支援者の応援ページが自動作成されるため、そのページから各支援者のSNSへの自動連動が行われ、自動的に支援の輪を拡大するための情報拡散が実現することで、支援者をより沢山増やすような仕組みが実現される。その仕組みにより、支援開始時点で支援金額はキャンペーン成功の１００％から始まり、遥かに大きな数百〜数千％規模の支援金額の実現の可能性もある支援が実行される。
【００２２】
以下、添付図面を参照し、本発明のクラウドファンディングシステムの実施の形態を詳細に説明する。
【００２３】
図５に示すように、最初に被支援者を支援したい人たち（以下、「応援者」と呼ぶ）が支援目標を達成するだけ集まって被支援者を支援する仕組みであり、支援目標とは、「支援者数×最少支援金額≧調達目標額」を上回ることである。具体的には、応援者の代表者（以下、「発起人」と呼ぶ）が被支援者を支援するためのキャンペーン内容をキャンペーン告知ページに掲載し、キャンペーン内容に賛同した応援者を集め、「応援者のメンバーリスト（以下、「応援者リスト」と呼ぶ）」を作成する。応援者リストの参加者数が支援目標に達した時点でキャンペーンが開始される。
【００２４】
キャンペーン開始と同時に、応援者リストに参加した応援者は支援者となり、キャンペーン開始と同時に調達目標金額は達成される。
【００２５】
以下は、発起人、応援者から支援者への支援が実行される順番の説明です。ここで応援者は、被支援者を応援したいと思っている人たちの集いです。例えばFacebookなどのSNSや、ファンクラブやクチコミで集まった応援者の総称である。応援者が多数存在する「本来、支援を受けるだけの人望と実績又は将来の夢などがある被支援者」である。
（１）応援者の代表である発起人が、被支援者を支援するための事業者のクラウドファンディングに対してキャンペーン告知を行う。キャンペーン告知内容は図２の従来のクラウドファンディングと同じで、以下の通りです。
・キャンペーン説明部
ページのヘッダー部にはタイトルと写真、記事本体部にはキャンペーンの説明記事として説明文と写真などが掲載される。
・支援の状況表示部
右サイドカラムの上部には、被支援者、支援総額、支援者数、残り時間などの情報が掲載される。
・リターンの説明を選択部
単一又は複数の支援コースを支援金額別に表示しており、支援金額の直下には、支援の謝礼としてのリターンの内容を掲載している。支援者は、このコースから支援コースを選んで支援申し込みを行う。
（２）応援者の代表である発起人が応援者たちに、キャンペーン告知内容を見てもらう。
（３）応援者たちは当該キャンペーンの応援者リストに参加するために、応援者登録を行う。
（４）登録された応援者には自動的に応援者ページが生成され、登録時に入力した応援メッセージなどが表示され、その内容は自動的に応援者の所有するSNSに自動連動告知される。応援者リストの参加者数が支援目標に達した時点で、キャンペーンが開始される。
（５）キャンペーン開始と同時に、応援者リストに参加した応援者は支援者となり、キャンペーン開始と同時に調達目標金額は達成され、同時に応援者ページに連動したSNSなどで告知誘導された支援の希望者がキャンペーンの支援者として登録される。
【００２６】
この仕組みにより、支援金額は１００％以上の獲得が可能となります。
【００２７】
図６は、本発明のクラウドファンディングにおけるキャンペーン告知ページの全容を説明するものであり、１００は従来のクラウドファンディングのキャンペーン告知と同じものです。１１０は、本発明の特徴である応援者リスト表示の仕組みであり、応援リストはキャンペーン告知ページが長くならないようにするために、新着登録者から４×２段のように表示し、応援者全員を見るための「もっと見る」ボタン１１１を配置している。
【００２８】
１１２は、応援者全員を見るための「もっと見る」ボタン１１１をクリックした際に表示される応援者の全員を閲覧することができる応援者リストページである。１１３は、応援者として登録されると登録と同時に「応援者紹介ページ」が自動生成され、その中の応援メッセージは応援ブログとして自動生成される。
【００２９】
また、１２０は、「応援紹介ページ」と６の「応援ブログ」はSNSに自動連携され、N名の応援者リスト×SNS情報拡散数にて、大量の支援者の誘導を仕込む。１１４は、「応援紹介ページ」に掲載された応援メッセージが掲載される「応援ブログ」であり、応援者は、ここで複数の応援ブログを掲載することで、より多くの支援者を獲得するための情報拡散を行うことができる仕組みである。
【産業上の利用可能性】
【００３０】
本発明のクラウドファンディングは、既にまとまった数の支援者が存在する支援対象に絶大な効果を発揮する。例えば、既に組織化されている支援組織・後援会、企業・団体、会員を持つスポーツ競技団体や地域での街づくり協議会やNPOなどの目的を持った資金調達に適している。
【００３１】
或いは、影響力を行使できる著名人やタレント・芸能人やスポーツ選手などにも確実に資金調達できる仕組みとして有効であり、その他、日本人特有の「ドブ板」的に人を集めることができる方なら誰でも見込んだ計算通りの資金調達が出来るので、行政や民間・市民の垣根を越えた様々な支援活動の展開の可能性が拡がる。
【符号の説明】
【００３２】
１            キャンペーン）
２            事業者
【図１】
2019159567.tif 000003
【図２】
2019159567.tif 000004
【図３】
2019159567.tif 000005
【図４】
2019159567.tif 000006
【図５】
2019159567.tif 000007
【図６】
2019159567.tif 000008